(57)【特許請求の範囲】
【請求項１】
モータ駆動回路が設けられた基板が取付けられたベース板、このベース板に取付けられた下部羽根車収納壁が形成された下部ケース、この下部ケースの上部を覆うように取付けられ、羽根車収納室を形成する上部羽根車収納壁が形成された上部ケース、前記羽根車収納室に開口するように前記下部ケース、上部ケースのいずれか一方あるいは両方に位置するように形成された空気導入口および排出口とからなるケース体と、このケース体の羽根車収納室内に回転可能に取付けられ、かつ、前記空気導入口より空気を吸引し、前記排出口より排出することができる羽根車と、前記ケース体に取付けられ、かつ、流体動圧軸受を用いたモータと、このモータの流体動圧軸受の回転部材に固定された前記羽根車からなる送風機において、前記羽根車収納室の排出口の近傍で圧力を測定できるように、前記基板に取付けられた圧力センサあるいは圧力センサチップを設けたことを特徴とする送風機。 
【発明の詳細な説明】
【技術分野】
【０００１】
本発明はシロッコファンやターボブロワーと称される送風機に関する。
【背景技術】
【０００２】
従来、この種の送風機の流量を測定する場合に、該送風機の排出口より排出される空気の圧力を測定する圧力センサを送風機とは別に設置していた。
【０００３】
このため、送風機のモータ用の電源、圧力センサ用の電源といった電源を別々に必要としたり、製品自体で圧力制御ができず、省スペース化を図ることができないという欠点があった。
【特許文献１】特になし
【発明の開示】
【発明が解決しようとする課題】
【０００４】
本発明は以上のような従来の欠点に鑑み、圧力センサを一体に組み込み、圧力センサ用の電源をモータ側から取れるようにし、製品自体で圧力が制御でき、省スペース化も図ることができる送風機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はモータ駆動回路が設けられた基板が取付けられたベース板、このベース板に取付けられた下部羽根車収納壁が形成された下部ケース、この下部ケースの上部を覆うように取付けられ、羽根車収納室を形成する上部羽根車収納壁が形成された上部ケース、前記羽根車収納室に開口するように前記下部ケース、上部ケースのいずれか一方あるいは両方に位置するように形成された空気導入口および排出口とからなるケース体と、このケース体の羽根車収納室内に回転可能に取付けられ、かつ、前記空気導入口より空気を吸引し、前記排出口より排出することができる羽根車と、前記ケース体に取付けられ、かつ、流体動圧軸受を用いたモータと、このモータの流体動圧軸受の回転部材に固定された前記羽根車からなる送風機において、前記羽根車収納室の排出口の近傍で圧力を測定できるように、前記基板に取付けられた圧力センサあるいは圧力センサチップとで送風機を構成している。
【発明の効果】
【０００７】
以上の説明から明らかなように、本発明にあっては次に列挙する効果が得られる。
【０００８】
（１）モータ駆動回路が設けられた基板が取付けられたベース板、このベース板に取付けられた下部羽根車収納壁が形成された下部ケース、この下部ケースの上部を覆うように取付けられ、羽根車収納室を形成する上部羽根車収納壁が形成された上部ケース、前記羽根車収納室に開口するように前記下部ケース、上部ケースのいずれか一方あるいは両方に位置するように形成された空気導入口および排出口とからなるケース体と、このケース体の羽根車収納室内に回転可能に取付けられ、かつ、前記空気導入口より空気を吸引し、前記排出口より排出することができる羽根車と、前記ケース体に取付けられ、かつ、流体動圧軸受を用いたモータと、このモータの流体動圧軸受の回転部材に固定された前記羽根車からなる送風機において、前記羽根車収納室の排出口の近傍で圧力を測定できるように、前記基板に取付けられた圧力センサあるいは圧力センサチップを設けたので、圧力センサ用の電源をモータ側から取ることができる。
したがって、構造が簡単にできる。
【０００９】
（２）前記（１）によって、製品自体で圧力を制御することができ、省スペース化を図ることができる。
【００１０】
（３）前記（１）によって、容易に設置することができる。
【００１１】
（４）前記（１）によって、モータ基板に取付けられるため、容易に圧力センサあるいは圧力センサチップを組み付けることができる。
【発明者が考えた送風機および本発明を実施するための最良の形態】
【００１２】
以下、図面に示す本発明者が考えた送風機および本発明を実施するための最良の形態により、本発明を詳細に説明する。
【００１３】
図１ないし図７に示す本発明者が考えた送風機において、１は本発明者が考えた送風機で、この送風機１は上部に空気導入口２が形成され、周壁に排出口３が形成された羽根車収納室４を有するケース体５と、このケース体５の上部を覆うように複数本のビス６で固定された空気吸引口７が形成されたカバー体８と、前記ケース体５の羽根車収納室４内に回転可能に取付けられた、前記空気導入口２より空気を吸引し、前記排出口３より高圧にして排出することができる羽根車９と、この羽根車９を高速で回転できるように前記ケース体５に取付けられたモータ１０と、前記羽根車収納室４の排出口３の近傍に組み込まれた、該部位の圧力を測定するための圧力センサ１３とで構成されている。
【００１４】
前記ケース体５はベース板１４と、このベース板１４に複数本のビス１５で固定された、前記モータ１０の外周部および前記羽根車９の下部を覆うモータ挿入筒１６、前記羽根車収納室４の下部羽根車収納壁１７、前記排出口３の一部が形成された周壁１８が形成され、前記ベース板１４との間に密封の下部室１９を形成する下部ケース２０と、この下部ケース２０の上部に複数本のビス２１で固定される中央部に空気導入口２および上部バルブ部２２の上部バルブ凹部２３が形成され、前記羽根車９の上部を覆い、前記羽根車収納室４の上部羽根車収納壁２４、前記排出口３の一部が形成された周壁２５、前記カバー体８を上部を覆うように複数本のビス６で取付けられる取付部２６が形成された上部ケース２７とで構成されている。
【００１５】
前記モータ１０は図４および図５に示すように、前記ケース体５のベース板１４の上面に複数本のビス２８で固定されたモータ駆動回路（図示せず）が設けられた基板２９と、この基板２９を取付ける複数本のビス２８で前記ベース板１４に固定されるベースプレート３０と、このベースプレート３０に下端部が固定され、上部が前記基板２９上へ突出するシャフト１２と、このシャフト１２の外周部に回転可能に配置されたスリーブ１１と、このスリーブ１１の外周部に位置するように前記基板２９に取付けられたコイル３１と、前記スリーブ１１の上部に固定された前記シャフト１２の上部を覆うとともに、中央上部が前記羽根車９を取付ける軸部３２となるハブ３３と、このハブ３３に取付けられた前記スリーブ１１と前記コイル３１との間に位置するバックヨーク３４と、前記ハブ３３の外周部に取付けられた内壁面に、ロータマグネット３５が取付けられたヨーク３６と、前記シャフト１２の上部位置のハブ３３に形成された凹部３７に固定されたアウタマグネット３８と、このアウタマグネット３８内に位置するように前記シャフト１２の上端部に固定されたインナマグネット３９とで構成されている。
【００１６】
前記羽根車９は図６および図７に示すように、前記モータ１０の回転部材としてのハブ３３の軸部３２に嵌合固定されたボス４０と、このボス４０と一体形成された順次外側下方へ傾斜する羽根支持板４１と、この羽根支持体４１の上面に一体形成された、高さ寸法が順次外側が小さくなるように弧状に形成された多数個の羽根板４２と、この多数個の羽根板４２の上部を覆うように一体形成された中央端部に上バルブ片４３を有する上部カバー板４４と、前記羽根支持板４１に下方へ突出するように一体形成された、前記モータ１０のヨーク３６の外周部と前記ケース体５の下部ケース２０のモータ挿入筒１６のモータ挿入孔４５との間に挿入されるモータカバー筒４６とで構成されている。
【００１７】
前記圧力センサ１３は前記羽根車収納室４の排出口３近傍の前記上部ケース２７に、該部位の圧力を測定できるように取付けられ、モータ用の電源に接続される接続端子４７が設けられている。
【００１８】
上記構成の送風機１はモータ１０を駆動させると、羽根車９が高速回転し、カバー体８の空気吸引口７およびケース体５の空気導入口２より空気を羽根車９の多数個の羽根板４２内に吸引し、圧力を高めて排出口３より排出される。
この排出口３より排出される圧力が高められた空気は圧力センサ１３で検出することができ、該圧力センサ１３での圧力の検出と、モータの駆動状態の制御で製品自体の圧力である流量を所定値に設定する等の制御を行なうことができる。
また、小型でも大風量で高圧の送風で排出することができる。
【００１９】
次に、図８ないし図２２に示す本発明を実施するための形態につき説明する。なお、これらの本発明を実施するための形態の説明に当って、前記図１ないし図７に示す送風機と同一構成部分には同一符号を付して重複する説明を省略する。
【００２０】
図８ないし図１０に示す本発明を実施するための第１の形態において、前記図１ないし図７に示す送風機と主に異なる点は、羽根車収納室４の排出口３の近傍の下部ケース２０に形成されたセンサ挿入孔４８に圧力を検出できるように挿入固定されるとともに、基板２９に圧力センサ１３Ａを組み込んだ点で、このように構成した送風機１Ａにしても、前記図１ないし図７に示す送風機と同様な作用効果が得られるとともに、圧力センサ１３Ａが基板２９に取付けられているため、配線が不要でより容易に組み付けることができる。
【００２１】
図１１ないし図１３に示す本発明を実施するための第２の形態において、前記本発明を実施するための第１の形態と主に異なる点は、下部ケース２０のセンサ挿入孔４８に取付けられた圧力導入ホース４９を介して圧力センサ１３を基板２９に組み込んだ点で、このように構成した送風機１Ｂにしても、前記本発明を実施するための第１の形態と同様な作用効果が得られる。
【００２２】
図１４ないし図１６に示す本発明を実施するための第３の形態において、前記本発明を実施するための第１の形態と主に異なる点は、下部ケース２０のセンサ挿入孔４８に位置するように基板２９に取付けられるとともに、羽根車収納室４内に圧力センサチップ５０を位置するように取付けた点で、このように圧力センサチップ５０を組み込んだ送風機１Ｃにしても、前記本発明を実施するための第１の形態と同様な作用効果が得られる。
【００２３】
図１７ないし図１９に示す本発明を実施するための第４の形態において、前記本発明を実施するための第１の形態と主に異なる点は、基板２９に圧力センサチップ５０を設け、該圧力センサチップ５０を密封状態で覆うセンサ挿入孔４８Ａ  を下部ケース２０に形成した点で、このように構成した送風機１Ｄにしても、前記本発明を実施するための第１の形態と同様な作用効果が得られる。
【００２４】
図２０ないし図２２に示す本発明を実施するための第５の形態において、前記本発明を実施するための第４の形態と主に異なる点は、スリーブ１１Ａをベース板１４に固定し、シャフト１２Ａをスリーブ１１Ａに回転可能に取付けたモータ１０Ａを用いた点で、このようなモータ１０Ａを用いて構成した送風機１Ｅにしても、前記本発明を実施するための第４の形態と同様な作用効果が得られる。
【産業上の利用可能性】
【００２５】
本発明は送風機を製造する産業で利用される。
【図面の簡単な説明】
【００２６】
【図１】本発明者が考えた送風機の正面図。
【図２】本発明者が考えた送風機の平面図。
【図３】図２の３−３線に沿う断面図。
【図４】本発明者が考えた送風機のモータの断面図。
【図５】本発明者が考えた送風機の要部拡大説明図。
【図６】本発明者が考えた送風機の羽根車の平面図。
【図７】図６の７−７線に沿う断面図。
【図８】本発明を実施するための第1の形態の平面図。
【図９】図８の９−９線に沿う断面図。
【図１０】本発明を実施するための第1の形態の要部拡大説明図。
【図１１】本発明を実施するための第2の形態の平面図。
【図１２】図１１の１２−１２線に沿う断面図。
【図１３】本発明を実施するための第２の形態の要部拡大説明図。
【図１４】本発明を実施するための第３の形態の平面図。
【図１５】図１４の１５−１５線に沿う断面図。
【図１６】本発明を実施するための第３の形態の要部拡大説明図。
【図１７】本発明を実施するための第４の形態の平面図。
【図１８】図１７の１８−１８線に沿う断面図。
【図１９】本発明を実施するための第４の形態の要部拡大説明図。
【図２０】本発明を実施するための第５の形態の平面図。
【図２１】図２０の２１−２１線に沿う断面図。
【図２２】本発明を実施するための第５の形態の要部拡大説明図。
【符号の説明】
【００２７】
１、１Ａ、１Ｂ、１Ｃ、１Ｄ、１Ｅ：送風機、
２：空気導入口、      ３：排出口、
４：羽根車収納室、      ５：ケース体、
６：ビス、        ７：空気吸引口、
８：カバー体、      ９：羽根車、
１０、１０Ａ：モータ、    １１、１１Ａ：スリーブ、
１２、１２Ａ：シャフト、    １３、１３Ａ：圧力センサ、
１４：ベース板、      １５：ビス、
１６：モータ挿入筒、    １７：下部羽根車収納壁、
１８：周壁、        １９：下部室、
２０：下部ケース、      ２１：ビス、
２２：上部バルブ部、    ２３：上部バルブ凹部、
２４：上部羽根車収納壁、    ２５：周壁、
２６：取付部、      ２７：上部ケース、
２８：ビス、        ２９：基板、
３０：ベースプレート、    ３１：コイル、
３２：軸部、        ３３：ハブ、
３４：バックヨーク、    ３５：ロータマグネット、
３６：ヨーク、      ３７：凹部、
３８：アウタマグネット、    ３９：インナマグネット、
４０：ボス、        ４１：羽根支持板、
４２：羽根板、      ４３：上バルブ片、
４４：上部カバー板、    ４５：モータ挿入孔、
４６：モータカバー筒、    ４７：接続端子、
４８、４８Ａ：センサ挿入孔、  ４９：圧力導入ホース、
５０：圧力センサチップ。
【図１】
0004828217.tif 000002
【図２】
0004828217.tif 000003
【図３】
0004828217.tif 000004
【図４】
0004828217.tif 000005
【図５】
0004828217.tif 000006
【図６】
0004828217.tif 000007
【図７】
0004828217.tif 000008
【図８】
0004828217.tif 000009
【図９】
0004828217.tif 000010
【図１０】
0004828217.tif 000011
【図１１】
0004828217.tif 000012
【図１２】
0004828217.tif 000013
【図１３】
0004828217.tif 000014
【図１４】
0004828217.tif 000015
【図１５】
0004828217.tif 000016
【図１６】
0004828217.tif 000017
【図１７】
0004828217.tif 000018
【図１８】
0004828217.tif 000019
【図１９】
0004828217.tif 000020
【図２０】
0004828217.tif 000021
【図２１】
0004828217.tif 000022
【図２２】
0004828217.tif 000023